(57)【要約】【課題】光利用効率を向上させることができる画像表示装置を提供する。【解決手段】  画像表示装置画１０００は、画像情報に基づいて変調されたレーザ光により複数のマイクロレンズを含むマイクロレンズアレイ（被走査面素子８）を走査して画像を形成し、前記マイクロレンズアレイを透過したレーザ光を透過反射部材（反射面素子１０）に入射させて、該透過反射部材で反射されたレーザ光の光路上の所定の観察位置から前記画像の虚像を視認可能にする画像表示装置であり、前記複数のマイクロレンズそれぞれの曲率は、該マイクロレンズと前記観察位置との間のレーザ光の光路長に基づいて設定されている。この場合、光利用効率を向上させることができる。【選択図】図１
2018136558.tif 000002
【特許請求の範囲】
【請求項１】
光源と、
前記光源の光によって画像を形成するための画像形成素子と、
前記画像を形成する光が照射されるレンズアレイと、を備え、
前記レンズアレイに前記光により画像を表示させ、前記レンズアレイを透過した前記光を反射面素子で反射させることにより虚像を視認させる画像表示装置において、
前記レンズアレイは、複数のレンズが配列された構造を有し、前記複数のレンズのうちの少なくとも２つは、互いに曲率が異なることを特徴とする画像表示装置。
【請求項２】
前記複数のレンズの各々は、前記反射面素子までの光路長が短いほど、レンズの曲率が大きくなる傾向で分布していることを特徴とする請求項１に記載の画像表示装置。
【請求項３】
前記複数のレンズの各々は、前記レンズアレイを前記反射面素子までの光路長が長い領域と短い領域に等分した場合に、光路長が長い領域に比べ短い領域の方が前記レンズの平均的な曲率が大きくなるように分布していることを特徴とする請求項１又は２に記載の画像表示装置。
【請求項４】
前記レンズアレイと前記反射面素子との間の光の光路上に、該光を拡大反射する反射部材が配置されていることを特徴とする請求項１〜３のいずれか一項に記載の画像表示装置。
【請求項５】
前記反射面素子は、前記虚像を視認する操縦者により操縦される移動体に設けられ、前記操縦者が前記移動体の外部を視認するための窓部材であることを特徴とする請求項１〜４のいずれか一項に記載の画像表示装置。
【請求項６】
請求項５に記載の画像表示装置が搭載され、前記操縦者により操縦される移動体。
【請求項７】
複数のレンズが配列された構造を有するレンズアレイであって、
前記複数のレンズのうちの少なくとも２つは、互いに曲率が異なることを特徴とするレンズアレイ。
【請求項８】
前記複数のレンズの曲率の分布は、曲率の大きい領域から曲率の小さい領域に向かって、略単調減少するようになっていることを特徴とする請求項７に記載のレンズアレイ。
【請求項９】
画像情報に応じて変調されたレーザ光を複数のマイクロレンズを含むマイクロレンズアレイに照射して画像を形成し、前記マイクロレンズアレイを透過したレーザ光を透過反射部材に入射させて、該透過反射部材で反射されたレーザ光の光路上の観察位置から前記画像の虚像を視認可能にする画像表示装置において、
前記複数のマイクロレンズそれぞれの互いに直交する第１及び第２方向の曲率の少なくとも一方は、該マイクロレンズと前記観察位置との間のレーザ光の光路長に基づいて設定されていることを特徴とする画像表示装置。
【請求項１０】
前記複数のマイクロレンズのうち少なくとも２つのマイクロレンズそれぞれと前記観察位置との間のレーザ光の光路長は、互いに異なることを特徴とする請求項９に記載の画像表示装置。
【発明の詳細な説明】
【技術分野】
【０００１】
本発明は、画像表示装置、移動体及びレンズアレイに係り、更に詳しくは、光により画像を形成し、形成された画像の虚像を視認可能にする画像表示装置、該画像表示装置が搭載された移動体及びレンズアレイに関する。
【背景技術】
【０００２】
従来、画像情報に応じて変調されたレーザ光を複数のマイクロレンズを含むマイクロレンズアレイに照射して画像を形成し、形成された画像の虚像を透過反射部材を介して視認可能にするヘッドアップディスプレイ装置が知られている（例えば特許文献１参照）。
【発明の概要】
【発明が解決しようとする課題】
【０００３】
ところで、特許文献１に開示されているヘッドアップディスプレイ装置では、光利用効率に向上の余地があった。
【課題を解決するための手段】
【０００４】
本発明は、光源と、前記光源の光によって画像を形成するための画像形成素子と、前記画像を形成する光が照射されるレンズアレイと、を備え、前記レンズアレイに前記光により画像を表示させ、前記レンズアレイを透過した前記光を反射面素子で反射させることにより虚像を視認させる画像表示装置において、前記レンズアレイは、複数のレンズが配列された構造を有し、前記複数のレンズのうちの少なくとも２つは、互いに曲率が異なることを特徴とする画像表示装置である。
【発明の効果】
【０００５】
本発明によれば、光利用効率を向上させることができる。
【図面の簡単な説明】
【０００６】
【図１】図１（ａ）〜図１（ｃ）は、それぞれ本発明の一実施形態の画像表示装置を説明するための図（その１〜その３）である。
【図２】図２（ａ）及び図２（ｂ）は、それぞれ微細凸レンズによる拡散と干渉性ノイズ発生を説明するための図（その１及びその２）である。
【図３】図３（ａ）〜図３（ｃ）は、それぞれ干渉性ノイズの除去を説明するための図（その１〜その３）である。
【図４】図４（ａ）〜図４（ｃ）は、微細凸レンズの配列形態例を３例示す図である。
【図５】図５（ａ）〜図５（ｅ）は、微細凸レンズの配列形態の他の例を５例示す図である。
【図６】図６（ａ）及び図６（ｂ）は、アナモフィックな微細凸レンズを説明するための図である。
【図７】図７（ａ）及び図７（ｂ）は、被走査面素子の例を２例説明する図である。
【図８】微細凸レンズの配列形態の他の例を１例示す図である。
【図９】図９（ａ）及び図９（ｂ）は、それぞれ実施例１のマイクロレンズアレイを説明するための図（その１及びその２）である。
【図１０】図１０（ａ）及び図１０（ｂ）は、それぞれ実施例２のマイクロレンズアレイを説明するための図（その１及びその２）である。
【図１１】図１１（ａ）及び図１１（ｂ）は、それぞれ実施例３のマイクロレンズアレイを説明するための図（その１及びその２）である。
【図１２】図１２（ａ）〜図１２（ｃ）は、実施例４〜５のマイクロレンズアレイの曲率半径の面内分布を示す図である。
【図１３】マイクロレンズアレイからフロントガラスを介して観察者の目に到達するレーザ光について説明するための図である。
【発明を実施するための形態】
【０００７】
以下、一実施形態を説明する。
図１は、一実施形態の画像表示装置を説明するための図である。
【０００８】
図１に即して説明する画像表示装置１０００は、２次元のカラー画像を表示するヘッドアップディスプレイ装置であり、図１（ａ）に装置の全体を説明図的に示す。
【０００９】
画像表示装置１０００は、一例として、車両、航空機、船舶等の移動体に搭載され、該移動体に設けられた透過反射部材（例えばフロントガラス）を介して該移動体の操縦に必要なナビゲーション情報（例えば速度、走行距離等の情報）を視認可能にする。以下では、移動体に設定されたＸＹＺ３次元直交座標系（移動体と共に移動する座標系）を適宜用いて説明する。なお、「透過反射部材」とは、入射された光の一部を透過させ、残部の少なくとも一部を反射させる部材を意味する。
【００１０】
図１（ａ）において、符号１００で示す部分は「光源部」であり、この光源部１００からカラー画像表示用の画素表示用ビームＬＣが＋Ｚ方向に射出される。
【００１１】
画素表示用ビームＬＣは、赤（以下「Ｒ」と表示する。）、緑（以下「Ｇ」と表示する。）、青（以下「Ｂ」と表示する。）の３色のビームを１本に合成したビームである。
【００１２】
即ち、光源部１００は、例えば、図１（ｂ）の如き構成となっている。
【００１３】
図１（ｂ）において、符号ＲＳ、ＧＳ、ＢＳで示す光源としての半導体レーザは、それぞれＲ、Ｇ、Ｂのレーザ光を放射する。ここでは、各半導体レーザとして、端面発光レーザとも呼ばれるレーザダイオード（ＬＤ）が用いられている。なお、半導体レーザとして、端面発光レーザに代えて、面発光レーザ（ＶＣＳＥＬ）を用いても良い。
【００１４】
符号ＲＣＰ、ＧＣＰ、ＢＣＰで示すカップリングレンズは、半導体レーザＲＳ、ＧＳ、ＢＳから射出される各レーザ光の発散性を抑制する。
【００１５】
カップリングレンズＲＣＰ、ＧＣＰ、ＢＣＰにより発散性を抑制された各色レーザ光束は、アパーチュアＲＡＰ、ＧＡＰ、ＢＡＰにより整形される（光束径を規制される）。
【００１６】
整形された各色レーザ光束はビーム合成プリズム１０１に入射する。
ビーム合成プリズム１０１は、Ｒ色光を透過させＧ色光を反射するダイクロイック膜Ｄ１と、Ｒ・Ｇ色光を透過させＢ色光を反射するダイクロイック膜Ｄ２を有する。
【００１７】
従って、ビーム合成プリズム１０１からは、Ｒ、Ｇ、Ｂの各色レーザ光束が１本の光束に合成されて射出される。
【００１８】
射出される光束は、レンズ１０２により所定の光束径の「平行ビーム」に変換される。
この「平行ビーム」が、画素表示用ビームＬＣである。
【００１９】
画素表示用ビームＬＣを構成するＲ、Ｇ、Ｂの各色レーザ光束は、表示するべき「２次元のカラー画像」の画像信号により（画像情報（画像データ）に応じて）強度変調されている。強度変調は、半導体レーザを直接変調する直接変調方式であっても良いし、半導体レーザから射出されたレーザ光束を変調する外部変調方式であっても良い。
【００２０】
即ち、半導体レーザＲＳ、ＧＳ、ＢＳは、図示されない駆動手段により、Ｒ、Ｇ、Ｂの各色成分の画像信号により発光強度を変調される。
【００２１】
光源部１００から射出された画素表示用ビームＬＣは、画像形成素子としての２次元偏向手段６に入射し、２次元的に偏向される。
２次元偏向手段６は、本実施形態では、微小なミラーを「互いに直交する２軸」を揺動軸として揺動するように構成されたものである。
【００２２】
即ち、２次元偏向手段６は具体的には、半導体プロセス等で微小揺動ミラー素子として作製されたＭＥＭＳ（Micro Electro Mechanical Systems）である。
【００２３】
２次元偏向手段は、この例に限らず、他の構成のもの、例えば、１軸の回りに揺動する微小ミラーを２個、揺動方向が互いに直交するように組み合わせたもの等でもよい。
【００２４】
上記の如く２次元的に偏向された画素表示用ビームＬＣは、凹面鏡７に入射し、被走査面素子８に向けて反射される。
【００２５】
凹面鏡７の光学作用は、２次元的に偏向された画素表示用ビームＬＣによって反射面素子１０上に形成される画像の歪みをとることである。
即ち、凹面鏡７により反射された画素表示用ビームＬＣは、２次元偏向手段６による偏向に伴い平行移動しつつ被走査面素子８に入射し、該被走査面素子８を２次元的に走査する。
【００２６】
この２次元的な走査により、被走査面素子８に「カラーの２次元画像」が形成される。
【００２７】
勿論、被走査面素子８に各瞬間に表示されるのは「画素表示用ビームＬＣが、その瞬間に照射している画素のみ」である。
【００２８】
カラーの２次元画像は、画素表示用ビームＬＣによる２次元的な走査により「各瞬間に表示される画素の集合」として形成される。
被走査面素子８に、上記の如く「カラーの２次元画像」が形成され、上記画像情報の画素単位の光（各画素に対応する光）である画素光が、凹面鏡９に入射して反射される。
【００２９】
図１には示されていないが、被走査面素子８は後述する「微細凸レンズ構造」を有している。凹面鏡９は「虚像結像光学系」を構成する。
【００３０】
「虚像結像光学系」は、前記「カラーの２次元画像」の拡大虚像１２を結像させる。
拡大虚像１２の結像位置の手前側には、反射面素子１０が設けられ、拡大虚像１２を結像する光束を、観察者１１（図１（ａ）には観察者の目を示す。）の側へ反射する。なお、観察者１１（例えば移動体を操縦する操縦者）は、反射面素子１０（透過反射部材）で反射されたレーザ光の光路上の所定の観察位置から虚像を視認する。
【００３１】
この反射光により、観察者１１は拡大虚像１２を視認できる。
【００３２】
図１（ａ）に示す如く、図の上下方向を「Ｙ方向」、図面に直交する方向を「Ｘ方向」とする。
【００３３】
図１（ａ）に示す場合には、Ｙ方向は通常、観察者１１にとって上下方向であり、この方向を「縦方向」と呼ぶ。
【００３４】
また、Ｘ方向は通常、観察者にとって左右方向であり、この方向を「横方向」と呼ぶ。
【００３５】
被走査面素子８は、上述の如く、微細凸レンズ構造を有している。
後述するように、微細凸レンズ構造は「複数の微細凸レンズが、画素ピッチに近いピッチで密接して配列された」ものである。
【００３６】
ここでは、複数の微細凸レンズは、凸面が入射面となるようにＺ方向に直交する平面（ＸＹ平面）に沿って所定ピッチで２次元配列されている。その具体的な配列形態としては、Ｘ方向を行方向、Ｙ方向を列方向とするマトリクス状の配列や、ハニカム配列（ジグザグ配列）が挙げられる。
【００３７】
各微細凸レンズの平面形状（Ｚ軸方向から見た形状）は、例えば円形、正Ｎ角形（Ｎは３以上の自然数）等である。ここでは、微細凸レンズの各々は、互いに曲率（曲率半径）が等しい。
【００３８】
そして、個々の微細凸レンズは、画素表示用ビームＬＣを等方的に拡散させる機能を持つ。すなわち、各微細凸レンズは、全方位に均等な拡散パワーを持つ。以下に、この「拡散機能」を簡単に説明する。
【００３９】
図１（ｃ）において、符号Ｌ１〜Ｌ４は、被走査面素子８に入射する４本の画素表示用ビームを示している。
【００４０】
これ等の４本の画素表示用ビームＬ１〜Ｌ４は、被走査面素子８に形成される２次元画像の４隅に入射する画素表示用ビームであるものとする。
【００４１】
これら４本の画素表示用ビームＬ１〜Ｌ４は、被走査面素子８を透過すると、ビームＬ１１〜Ｌ１４のように変換される。
【００４２】
仮に、画素表示用ビームＬ１〜Ｌ４で囲まれる断面が横長の４辺形の光束を、被走査面素子８に入射させると、この光束は「ビームＬ１１〜Ｌ１４で囲まれる断面が横長の４辺形の発散性の光束」となる。
【００４３】
微細凸レンズのこの機能が「拡散機能」である。
【００４４】
「ビームＬ１１〜Ｌ１４で囲まれる発散性の光束」は、このように発散性光束に変換された画素表示用ビームを時間的に集合した結果である。
【００４５】
画素表示用ビームを拡散させるのは「反射面素子１０により反射された光束が、観察者１１の目の近傍の広い領域を照射する」ようにするためである。
【００４６】
上記拡散機能が無い場合には、反射面素子１０により反射された光束が「観察者１１の目の近傍の狭い領域」のみを照射する。
【００４７】
このため、観察者１１が頭部を動かして、目の位置が上記「狭い領域」から逸れると、観察者１１は拡大虚像１２を視認できなくなる。
【００４８】
上記のように、画素表示用ビームＬＣを拡散させることにより、反射面素子１０による反射光束は「観察者１１の目の近傍の広い領域」を照射する。
【００４９】
従って、観察者が「頭を少々動かし」ても、拡大虚像１２を確実に視認できる。
【００５０】
上記の如く、本実施形態において、被走査面素子８に入射する画素表示用ビームＬＣは平行ビームであるが、被走査面素子８を透過した後は発散性のビームとなる。
【００５１】
ところで、レーザ光により被走査媒体（例えば透過型又は反射型のスクリーン）を走査して画像を形成する走査型の画像表示装置では、コヒーレント光であるレーザ光の強い干渉性によって視認される虚像が不規則にちらつくスペックルノイズが生じる。そこで、走査型の画像表示装置における被走査媒体として、レーザ光のビーム径に近いピッチで複数のマイクロレンズ（微細凸レンズ）が配列されたマイクロレンズアレイ（微細凸レンズ構造）を用いることで、スペックルノイズの強度を低減しつつ発散角を任意に制御して虚像の視認性を向上させることが行われている。
【００５２】
しかしながら、従来の走査型の画像表示装置におけるマイクロレンズアレイでは、全てのマイクロレンズの曲率半径が等しく、マイクロレンズアレイへのレーザ光の入射位置によらず該レーザ光の発散角は等しくなる。このような設計思想の場合、各マイクロレンズの曲率（曲率半径）をマイクロレンズアレイの各面内位置で要求される発散角のうち最も大きい発散角に応じた値に設定する必要がある。この結果、マイクロレンズアレイの面内の一部領域では必要以上に発散角が大きくなり、光利用効率が低下し、輝度が低下していた。
【００５３】
そこで、本実施形態では、複数のマイクロレンズ（微細凸レンズ）のうち少なくとも２つの曲率を互いに異ならせている。
【００５４】
すなわち、本実施形態では、マイクロレンズアレイ（微細凸レンズ構造）における曲率半径を２種類以上とし、マイクロレンズアレイの面内方向で曲率半径の分布を持たせることで、各面内位置でそれぞれ必要十分な（必要最小限の）発散角（要求画角）を満たし、光利用効率の向上及び輝度の向上を図っている。なお、マイクロレンズアレイにおける曲率半径の面内分布については、後に詳細に説明する。
【００５５】
この発明における被走査面素子８は、画素表示用ビームＬＣを拡散させる複数の微細凸レンズが、画素ピッチに近いピッチで密接して配列された「微細凸レンズ構造」を有する。
【００５６】
微細凸レンズは「画素表示用ビームＬＣのビーム径」より大きい。
【００５７】
微細凸レンズを「画素表示用ビームＬＣのビーム径」より大きくするのは、干渉性ノイズ低減のためであり、以下これを、図２及び図３を参照して説明する。
【００５８】
図２（ａ）において、符号８０２は被走査面素子を示す。
被走査面素子８０２は、微細凸レンズ８０１を配列した微細凸レンズ構造を有する。
【００５９】
符号８０３で示す「画素表示用ビーム」の光束径８０７は、微細凸レンズ８０１の大きさよりも小さい。
【００６０】
即ち、微細凸レンズ８０１の大きさ８０６は、光束径８０７よりも大きい。
なお、本実施形態では、画素表示用ビーム８０３はレーザ光束であり、光束中心のまわりにガウス分布状の光強度分布をなす。
従って、光束径８０７は、光強度分布における光強度が「１／ｅ２」に低下する光束半径方向距離である。
図２（ａ）では、光束径８０７は微細凸レンズ８０１の大きさ８０６に等しく描かれているが、光束径８０７が「微細凸レンズ８０１の大きさ８０６」に等しい必要は無い。
微細凸レンズ８０１の大きさ８０６をはみ出さなければよい。
【００６１】
図２（ａ）において、画素表示用ビーム８０３は、その全体が１個の微細凸レンズ８０１に入射し、発散角８０５をもつ拡散光束８０４に変換される。
【００６２】
なお、「発散角」は、以下において「拡散角」と呼ぶこともある。
【００６３】
図２（ａ）の状態では、拡散光束８０４は１つで、干渉する光束が無いので、干渉性ノイズ（スペックルノイズ）は発生しない。
【００６４】
なお、発散角８０５の大きさは、微細凸レンズ８０１の形状により適宜設定できる。
【００６５】
図２（ｂ）では、画素表示用ビーム８１１は、光束径が微細凸レンズの配列ピッチ８１２の２倍となっており、２個の微細凸レンズ８１３、８１４に跨って入射している。
【００６６】
この場合、画素表示用ビーム８１１は、入射する２つの微細凸レンズ８１３、８１４により２つの発散光束８１５、８１６のように拡散される。
【００６７】
２つの発散光束８１５、８１６は、領域８１７において重なり合い、この部分で互いに干渉して干渉性ノイズを発生する。
【００６８】
図３（ａ）は、画素表示用ビーム８２４が、被走査面素子８２１の、２つの微細凸レンズ８２２、８２３に跨って入射している状態を示す。
【００６９】
画素表示用ビーム８２４の光束径は、微細凸レンズ８２２等の大きさに等しい。
この場合、微細凸レンズ８２２に入射したビーム部分は発散光束８２６となり、微細凸レンズ８２３に入射したビーム部分は発散光束８２７となって拡散される。
【００７０】
発散光束８２６と８２７とは、互いに遠ざかる方向へ拡散されるので、これらが相互に重なり合うことはなく、従って、この状態で干渉性ノイズは発生しない。
【００７１】
即ち、微細凸レンズにより拡散された光束による干渉性ノイズは、画素表示用ビーム８２４のビーム径を、微細凸レンズ８２２の大きさ以下に設定すれば発生しない。
【００７２】
微細凸レンズの径と、被走査面素子に入射する画素表示用ビームのビーム径の具体的な数値例を例示する。
【００７３】
画素表示用ビームのビーム径を、例えば１５０μｍ程度に設定することは容易である。
【００７４】
この場合には、微細凸レンズ構造を構成する微細凸レンズの大きさは、上記１５０μｍ以上の大きさ、例えば、１６０μｍ、２００μｍ等に設定すれば良い。
【００７５】
図３（ａ）に示す被走査面素子８２１では、微細凸レンズ８２２、８２３・・は隙間なく配列されている。
【００７６】
従って、隣接する微細凸レンズ面の「境界部の幅（以下「境界幅」とも言う。）は０」である。
このため、微細凸レンズ８２２、８２３に、図３（ａ）の如く入射する画素表示用ビーム８２４から発生する発散光束は、発散光束８２６、８２７のみである。
【００７７】
しかしながら、実際に形成される微細凸レンズ構造では「隣接する微細凸レンズの境界幅が０となる」ことは無い。
【００７８】
即ち、図３（ｂ）に示す被走査面素子８３１のように、実際に形成される微細凸レンズ構造では、微細凸レンズ８３３、８３４の境界部８３５は「幅：０」とはならない。
【００７９】
微細凸レンズ８３３、８３４の境界部８３５は、微視的には「曲面が滑らかに連続」しており、境界部８３５には曲面が形成される。
【００８０】
このように境界部８３５に形成された曲面は、この部分に画素表示用ビームが入射すると、入射光部分に対して「微小なレンズ面」として作用する。
【００８１】
従って、微細凸レンズ８３３、８３４に跨って入射する画素表示用ビーム８３２は、発散光束８３６、８３７とともに発散光束８３８も発生させる。
【００８２】
発散光束８３８は境界部８３５の曲面のレンズ作用により発生し、発散光束８３６、８３７と、領域８３９、８４０において重なり合って干渉し、干渉性ノイズを発生させる。
【００８３】
図３（ｃ）は、微細凸レンズ構造における「干渉性ノイズの軽減ないし防止」を説明するための図である。
【００８４】
微細凸レンズ構造において、微細凸レンズ８４１、８４２のレンズ面が緩やかに繋がった境界部８４３の曲面形状は、それ自体が「微小なレンズ面」をなしている。
【００８５】
境界部８４３の曲面形状の曲率半径を図の如く「ｒ」とする。
【００８６】
ここで、説明の簡単のため、微細凸レンズ構造に入射する画素表示用ビームを「波長：λの単色レーザ光束」とする。
【００８７】
境界部８４３の曲率半径：ｒが、画素表示用ビームの波長：λよりも大きい場合（ｒ＞λ）、曲率半径：ｒの曲面は、入射する画素表示用ビームに対してレンズ作用を及ぼす。
【００８８】
従ってこの場合、境界部８４３を通過するビーム成分は発散され、微細凸レンズ８４１、８４２により拡散された光束と重なり合って干渉し、干渉性ノイズを発生する。
【００８９】
一方、境界部８４３の曲率半径：ｒが、画素表示用ビームの波長：λより小さくなると、境界部８４３は画素表示用ビームに対して「サブ波長構造」となる。
周知の如く、サブ波長構造は「サブ波長構造よりも大きい波長の光」に対してはレンズ作用を生じない。
従って、波長：λより小さい曲率半径：ｒをもった境界部８４３は「レンズ」として作用せず、画素表示用ビームを直進的に透過させ、発散させることがない。
【００９０】
このため、境界部８４３を直進的に透過したビーム部分と、微細凸レンズ８４１、８４２により拡散された発散光束とは重なり合わず、干渉による干渉性ノイズは発生しない。
【００９１】
即ち、画素表示用ビームのビーム径：ｄ、波長：λ、微細凸レンズの大きさ：Ｄ、境界部をなす面の曲率半径：ｒの大小関係は、以下のように定めるのが良い。
Ｄ＞ｄ、λ＞ｒ
【００９２】
表示すべき２次元の拡大虚像がモノクロ画像である場合には、波長：λの単色のコヒーレント光により画素表示用ビームを形成する。
従って、この場合には、上記Ｄ、ｄ、ｒ、λが上記大小関係を満足するように設定することにより、干渉性ノイズを抑制できる。
【００９３】
本実施形態のように、２次元のカラー画像（拡大虚像）を表示する場合、画素表示用ビームＬＣは、Ｒ、Ｇ、Ｂの３色のビームの合成されたものである。
【００９４】
これ等の３ビームの波長をλＲ（＝６４０ｎｍ）、λＧ（＝５１０ｎｍ）、λＢ（＝４４５ｎｍ）とすると、これらの大小関係は「λＲ＞λＧ＞λＢ」である。
【００９５】
従って、干渉性ノイズ防止の観点からすれば、上記境界部をなす面の曲率半径：ｒを、最短波長：λＢよりも小さく、例えば、４００ｎｍとすればよい。
【００９６】
しかし、最長波長：λＲよりも小さい曲率半径：ｒ（例えば６００ｎｍ）を設定すれば、画像表示ビームのＲ成分による干渉性ノイズを防止できる。
【００９７】
即ち、干渉性ノイズを有効に軽減させることができる。
【００９８】
「ｒ（例えば５００ｎｍ）＜λＧ」とすれば、画像表示ビームのＲ成分およびＧ成分の光による干渉性ノイズを防止できる。
画素表示用ビームＬＣが「Ｒ、Ｇ、Ｂの３色のビームの合成されたもの」である場合、干渉性ノイズは、これら３色の成分について独立に発生する。
そして、これら独立した３色Ｒ、Ｇ、Ｂのビームの干渉性ノイズの「総体」が、視認される干渉性ノイズとなる。
従って、３色の干渉性ノイズのうち、１色でも干渉性ノイズが無くなれば、視認される干渉性ノイズは大幅に改善され、観察画像の画質向上に寄与する。
従って、干渉性ノイズの防止効果は、３色のうちで「最も長波長のＲ成分」のみでも効果があり、次いでＧ成分、Ｂ成分という順で「低減効果」が向上する。
したがって、最長波長：λＲよりも小さい曲率半径：ｒ（例えば６００ｎｍ）を設定すれば、干渉性ノイズの軽減上、一定の効果を達成できる。
干渉性ノイズの視認性は、波長やビーム径・マルチ／シングルモードなどでノイズ強度は変わるが、一般的にはＲ≒Ｇ＞Ｂの順で高い。  
即ち、波長：λＢの光は人間の眼の視感度が低く、干渉性ノイズは目立ちにくい。
従って、波長：λＧよりも小さい曲率半径：ｒ（例えば５００ｎｍ）を設定すれば、視認性の比較的高い波長：λＲとλＧの光による干渉性ノイズを軽減できる。
視感度が低い波長：λＢの光による干渉性ノイズは発生しても、さほど目立たない。
勿論、波長：λＢよりも小さい曲率半径：ｒ（例えば４００ｎｍ）を設定すれば、上記の如く、干渉性ノイズを更に有効に軽減できる。
【００９９】
微細凸レンズ構造を構成する複数の微細凸レンズそれぞれの大きさは、上記の如く、１００μｍオーダであり、これは通常の「マイクロレンズ」として実現できる。
【０１００】
また、複数の微細凸レンズを配列した微細凸レンズ構造は「マイクロレンズアレイ」として実現できる。
【０１０１】
従って、以下、微細凸レンズを「マイクロレンズ」とも呼び、微細凸レンズ構造を「マイクロレンズアレイ」とも呼ぶこととする。
【０１０２】
マイクロレンズアレイは、一般に、マイクロレンズアレイのレンズ面アレイの転写面を持つ金型を作製し、この金型を用いて、樹脂材料に金型面を転写して作製される。
金型における転写面の形成は、切削やフォトリソグラフィなどを用いて形成する方法が知られている。
【０１０３】
また、樹脂材料への転写面の転写は、例えば「射出成形」で行うことができる。
【０１０４】
隣接マイクロレンズの境界部における曲率半径を小さくすることは、境界幅を小さくすることにより実現できる。
小さい境界幅は、隣接マイクロレンズ面の形成する境界部の「尖鋭化」することにより実現できる。
【０１０５】
マイクロレンズアレイ用の金型において、「隣接マイクロレンズ間の境界幅」の大きさを波長オーダまで小さくする工法は、種々の方法が知られている。
【０１０６】
例えば、特許第４２００２２３号公報は、異方性エッチングおよびイオン加工により各マイクロレンズの曲率半径を増加させ、境界部の非レンズ部分を除去する方法を開示している。
【０１０７】
また、特許第５０１０４４５号公報は、等方性ドライエッチングを用いて、隣接マイクロレンズ間の平坦面を除去する方法を開示している。
【０１０８】
例えば、これらの公知の方法を用いることにより、隣接マイクロレンズ間の境界部を成す面の曲率半径が、十分に小さいマイクロレンズアレイを作製可能である。
即ち、上に説明した被走査面素子は、複数のマイクロレンズが相互に近接して配列した構造を有するマイクロレンズアレイとして構成できる。
隣接するマイクロレンズの境界部をなす面の曲率半径：ｒを６４０ｎｍよりも小さいマイクロレンズアレイとして形成することにより、Ｒ成分光の干渉性ノイズを防止できる。
また、上記曲率半径：ｒを５１０ｎｍよりも小さいマイクロレンズアレイとして形成すれば、Ｒ成分光とＧ成分光による干渉性ノイズを防止できる。
隣接するマイクロレンズの境界部をなす面の曲率半径：ｒを４４５ｎｍよりも小さいマイクロレンズアレイとして形成すれば、Ｒ、Ｇ、Ｂ成分光の干渉性ノイズを防止できる。
【０１０９】
上には、図１に示す画像表示装置（ヘッドアップディスプレイ装置）について説明した。
【０１１０】
図１に示す凹面鏡７は、「２次元的に偏向された画素表示用ビームＬＣによって反射面素子１０上に形成される画像の歪みをとる機能」を持つ。
即ち、凹面鏡７は「２次元的に偏向された画素表示用ビームの偏向範囲を調整し、被走査面素子の走査範囲を規制する偏向範囲規制手段」として機能する。
【０１１１】
このような偏向範囲規制手段は、２次元偏向手段６により２次元的に偏向された画素表示用ビームの偏向角がさほど大きくない場合には、省略することもできる。
【０１１２】
微細凸レンズ構造（マイクロレンズアレイ）および微細凸レンズ（マイクロレンズ）に対する条件は上記の如くである。
【０１１３】
即ち、「画素表示用ビームのビーム径より大きい複数の微細凸レンズが、画素ピッチに近いピッチで密接して配列されて微細凸レンズ構造を構成」する。
【０１１４】
そこで、このような条件を満足するマイクロレンズアレイの具体的な形態を３例、図４に示す。
図４（ａ）に形態例を示すマイクロレンズアレイ８７は、正方形形状のマイクロレンズ８７１１、８７１２・・等を正方行列状に配列したものである。
【０１１５】
ヘッドアップディスプレイ装置において表示される２次元画像（拡大虚像）の画素数は、マイクロレンズアレイにおけるマイクロレンズの配列周期で決定される。
【０１１６】
図４（ａ）の配列の場合、Ｘ軸方向に隣接するマイクロレンズ８７１１、８７１２の中心間距離をＸ１とする。
【０１１７】
また、図においてＹ軸方向に隣接するマイクロレンズ８７１１、８７２１の中心間距離をＹ１とする。これら、Ｘ１、Ｙ１を「１画素の実効サイズ」と見做すことができる。
【０１１８】
「１画素の実効サイズ」を以下において「１画素の実効ピッチ」あるいは「実効画素ピッチ」とも呼ぶ。
【０１１９】
図４（ｂ）に形態例を示すマイクロレンズアレイ８８は、正六角形形状のマイクロレンズ８８１１、８８２１・・を稠密に配列したものである。
【０１２０】
この場合のマイクロレンズの配列では、配列されるマイクロレンズ８８１１等は、Ｘ軸方向に平行な辺を持たない。
【０１２１】
即ち、Ｘ軸方向に配列するマイクロレンズの上辺・下辺は「ジグザク状」になるので、このような配列を「ジグザグ型配列」と呼ぶ。
【０１２２】
図４（ｃ）に形態例を示すマイクロレンズアレイ８９は、正六角形形状のマイクロレンズ８９１１、８９２１・・を稠密に配列したものである。
【０１２３】
この場合のマイクロレンズの配列では、配列されるマイクロレンズ８９１１等は、Ｘ軸方向に平行な辺を持っている。この場合の配列を「アームチェア型配列」と呼ぶ。
【０１２４】
ジグザグ型配列とアームチェア型配列を合わせて「ハニカム型配列」と呼ぶ。
【０１２５】
図４（ｃ）に示すアームチェア型配列は、図４（ｂ）に示すジグザグ型配列を、９０度回転させた配列である。
ジグザグ型配列では、マイクロレンズの配列では、図に示すＸ２を「Ｘ軸方向の実効画素ピッチ」、Ｙ２を「Ｙ軸方向の実効画素ピッチ」と見做すことができる。
【０１２６】
アームチェア型配列では、図に示すＸ３を「Ｘ軸方向の実効画素ピッチ」、Ｙ３を「Ｙ軸方向の実効画素ピッチ」と見做すことができる。
【０１２７】
図４（ｂ）で、実効画素ピッチ：Ｙ２は、マイクロレンズ８８２１の中心と、マイクロレンズ８８１１の右側の辺の中点との距離である。
【０１２８】
図４（ｃ）で、実効画素ピッチ：Ｘ３は、マイクロレンズ８９１１の右側に接する２つのマイクロレンズの接する辺の中点とマイクロレンズ８９１１の中心との距離である。
【０１２９】
ジグザク型配列においては、Ｘ軸方向の実効画素ピッチ：Ｘ２が小さいので、画像表示におけるＸ軸方向の分解能を向上させることができる。
【０１３０】
また、アームチェア型配列においては、Ｙ軸方向の分解能を向上させることができる。
【０１３１】
このように、マイクロレンズをハニカム型に配列することにより、実際のレンズ径よりも小さい画素を実効的に表現でき、実効画素数を向上させることが可能である。
【０１３２】
上述の如く、被走査面素子の微細凸レンズ構造（マイクロレンズアレイ）において、隣接するマイクロレンズの境界部は、曲率半径：ｒを有する。
【０１３３】
曲率半径：ｒは、例えば、画素表示用ビームのＲ成分の波長：λＲよりも小さい。
【０１３４】
従って、前述の如く、「Ｒ成分のコヒーレント光の干渉による干渉性ノイズ」は防止される。
【０１３５】
しかし、画素表示用ビームのＧ成分光の波長：λＧやＢ成分光の波長：λＢよりも、前記曲率半径：ｒが大きければ、これ等の光は境界部で拡散され、互いに干渉する。
【０１３６】
従って、この干渉による干渉性ノイズは発生する。
【０１３７】
この場合、図４（ａ）の「正方行列状の配列」であると、境界部での発散（拡散）は、図のＸａ方向およびＹａ方向の２方向に生じ、それぞれが干渉性ノイズの原因となる。
【０１３８】
これに対し、図４（ｂ）の配列だと、境界部での発散は、８Ａ、８Ｂ、８Ｃの３方向に起こる。また、図４（ｃ）の場合だと、９Ａ、９Ｂ、９Ｃの３方向に拡散する。
【０１３９】
即ち、境界部での発散は、正方行列状配列では２方向に発生し、ハニカム状配列では３方向に生じる。
【０１４０】
従って、干渉性ノイズの発生は、正方行列状の配列では２方向的、ハニカム状の配列では３方向的に生じる。
【０１４１】
即ち、発生する干渉性ノイズは、正方行列状配列では「２方向に分散」されるのに対し、ハニカム状の配列では「３方向に分散」される。
【０１４２】
干渉性ノイズを生じさせるコヒーレント光の最大強度は一定である。
従って、分散される数が大きいほど「発生する干渉性ノイズのコントラスト」は弱められて視認され難く（目立ち難く）なる。
【０１４３】
従って、「境界部の曲率半径：ｒよりも小さい波長の成分による干渉性ノイズ」の発生を許容する場合には、マイクロレンズの配列は「ハニカム状配列」とするのがよい。
【０１４４】
なお、境界幅が前記波長：λＲより大きい場合には、Ｒ成分のコヒーレント光による干渉性ノイズも発生する。
【０１４５】
しかし、隣接する微細凸レンズの「レンズ面間の境界幅」は微小であり、微小な境界幅の部分に入射するコヒーレント光の光エネルギは小さい。
【０１４６】
従って、干渉性ノイズを発生させる光エネルギも大きくは無い。
従って、干渉性ノイズが発生したとしても、ハニカム状配列の場合は、上記の如く、３方向に分散されることで、コントラストは弱くなる。
【０１４７】
従って、干渉性ノイズの視認性は有効に軽減させることとなる。
【０１４８】
図１（ａ）に即して説明したように、２次元の拡大虚像１２を結像する虚像結像光学系は、凹面鏡９により構成される。
【０１４９】
即ち、拡大虚像１２は、凹面鏡９により結像される画素像の集合である。
微細凸レンズであるマイクロレンズに「アナモフィックな機能」を持たせると、微小凸レンズの拡散機能を、互いに直交する方向において異ならせることができる。
【０１５０】
図６（ａ）及び図６（ｂ）を参照すると、図６（ａ）及び図６（ｂ）において符号８０は、被走査面素子８に稠密に形成されたマイクロレンズ（微細凸レンズ）の個々を説明図として示している。図６（ａ）の例では、微細凸レンズは、縦長の楕円形であり、「マトリクス状配列」で配列されている。
図６（ｂ）の例では、微細凸レンズ８０は、Ｘ軸方向に平行な辺を持つ縦長の六角形であり、「アームチェア型配列」で配列されている。
微細凸レンズ８０は、そのレンズ面の曲率半径が、Ｘ軸方向とＹ軸方向とで異なり、Ｘ軸方向の曲率半径：Ｒｘは、Ｙ軸方向の曲率半径：Ｒｙよりも小さい。すなわち、微細凸レンズ８０は、Ｘ軸方向の曲率がＹ軸方向の曲率よりも大きい。
【０１５１】
従って、微細凸レンズ８０のＸ軸方向のパワー（拡散パワー）は、Ｙ軸方向のパワー（拡散パワー）よりも大きい。
また、レンズ面のＸ軸方向とＹ軸方向との両方に曲率を持たせたので、図６（ｂ）に示されるように、微細凸レンズを六角形にでき、上記の如く「干渉性ノイズの視認性」を弱めることができる。
図６（ａ）及び図６（ｂ）は、１個の微細凸レンズ８０に、画素表示用ビームＬＣが入射した場合を示している。図６（ａ）及び図６（ｂ）では、個々の微細凸レンズ８０のＹ軸方向の幅がＸ軸方向の幅よりも長い。
【０１５２】
また、図６（ａ）に示されるように、画素表示用ビームＬＣのビーム径を「Ｙ軸方向に長い楕円形状」とし、Ｙ軸方向における光束径を、微細凸レンズ８０のＹ軸方向の径より小さくする。
このようにすれば、画素表示用ビームＬＣを「レンズ境界を跨がずに入射」させることが可能であり、射出する発散光束の断面形状は、Ｘ軸方向に長い（横長の）楕円形状になる。
【０１５３】
微細凸レンズのＹ軸方向の長さおよびＸ軸方向の長さに拘わらず、Ｘ軸方向の曲率の方がＹ軸方向の曲率よりも大きければ、各微細凸レンズから射出する発散ビームの光束断面ＦＸは、Ｙ軸方向よりもＸ軸方向の方が長くなる。すなわち、横長となる。
【０１５４】
上に説明したヘッドアップディスプレイ装置は、例えば、自動車等の車載用として用いることができ、Ｘ軸方向は「運転席から見て横方向」、Ｙ軸方向は「縦方向」である。
【０１５５】
この場合の反射面素子１０は、自動車のフロントガラスである。
この場合、フロントガラス前方に拡大虚像１２として、例えば「ナビゲーション画像」を表示でき、観察者１１である運転者は、この画像を運転席に居ながらフロントガラス前方から視線をほとんど動かさずに観察できる。
【０１５６】
このような場合、上述の如く、表示される拡大虚像は「運転者から見て横長の画像」であること、即ち、マイクロレンズに形成される画像および、拡大虚像は、Ｘ軸方向に画角の大きい画像であることが一般に好ましい。
【０１５７】
また、上述の如く、観測者である運転者が、左右斜め方向から表示画像を見た場合にも、表示を認識できるように、横方向には「縦方向に比して大きな視野角」が要求される。
このため、拡大虚像の長手方向（Ｘ軸方向）には短手方向（Ｙ軸方向）に比して大きな拡散角（非等方拡散）が要求される。
【０１５８】
従って、被走査面素子の微細凸レンズをマイクロレンズ上に形成された画像もしくは拡大虚像の短手方向よりも長手方向の方が曲率が大きいアナモフィックなレンズとし、画素表示用ビームを拡散させる拡散角を「２次元画像の横方向を縦方向よりも広く」するのが好ましい。
【０１５９】
このようにして、ヘッドアップディスプレイ装置の要求画角を満たす必要最小限の範囲に光を発散させ、光の利用効率を向上させ、表示画像の輝度を向上させることが可能である。
【０１６０】
勿論、上記のような「非等方拡散」ではなく、縦方向と横方向で拡散角が等しい「等方拡散」とする場合も可能である。
しかし、自動車等の車載用として用いるヘッドアップディスプレイ装置の場合であれば、運転者が表示画像に対して上下方向の位置から観察を行なう場合はすくない。
従って、このような場合であれば、上記のように、画素表示用ビームを拡散させる拡散角を「２次元画像の横方向を縦方向よりも広く」するのが光利用効率の面から好ましい。
【０１６１】
微細凸レンズ（マイクロレンズ）は、そのレンズ面を「非球面」として形成できることが従来から知られている。
【０１６２】
直上に説明したアナモフィックなレンズ面も「非球面」であるが、微細凸レンズのレンズ面をより一般的な非球面として形成でき、収差補正を行なうこともできる。
【０１６３】
収差の補正により「拡散の強度ムラ」を低減することも可能である。
【０１６４】
図４（ａ）〜図４（ｃ）に示した微細凸レンズ構造（マイクロレンズアレイ）における個々の微細凸レンズ（マイクロレンズ）は、正方形もしくは正六角形であった。
【０１６５】
微細凸レンズの形状はこのように正多角形である必要はなく、図４（ａ）〜図４（ｃ）に示したマイクロレンズ形状を１方向に引き伸ばした形状でもよい。
【０１６６】
この場合、正方形形状であったものは「長方形形状」となり、正六角形状であったものは、細長い変形六角形になる。
【０１６７】
微細凸レンズ構造の実効画素ピッチは、図４（ａ）〜図４（ｃ）の配列では、Ｘ軸方向につきＸ１〜Ｘ３、Ｙ軸方向につきＹ１〜Ｙ３であった。
このように定められるＸ軸方向の実効画素ピッチを一般に「ＳＸ」、Ｙ軸方向の実効画素ピッチを一般に「ＳＹ」とするとき、両者の比：ＳＹ／ＳＸを「アスペクト比」と言う。
【０１６８】
図４（ａ）の場合、アスペクト比は「Ｙ１／Ｘ１」であり、Ｘ１＝Ｙ１であるから、アスペクト比は１である。
【０１６９】
図４（ｂ）の場合のアスペクト比は「Ｙ２／Ｘ２」であり、Ｙ２＞Ｘ１であるから、アスペクト比は１より大きい。
【０１７０】
図４（ｃ）の場合のアスペクト比は「Ｙ３／Ｘ３」であり、Ｙ３＜Ｘ３であるから、アスペクト比は１よりも小さい。
【０１７１】
図５（ａ）〜図５（ｅ）に示すマイクロレンズアレイ９１〜９５の微細凸レンズ構造では、実効画素ピッチを、図４の場合と同様にして以下の如くに定める。
【０１７２】
即ち、Ｘ軸方向、Ｙ軸方向の実効画素ピッチは、図５の「Ｘ１１、Ｙ１１」、「Ｘ１２、Ｙ１２」、「Ｘ１３、Ｙ１３」である。
【０１７３】
図５（ａ）の微細凸レンズ構造は、長方形形状の微細凸レンズ９１１１、９１１２、・・９１２１・・を正方行列状に配列したものであり、アスペクト比は１よりも大きい。
【０１７４】
図５（ｂ）〜図５（ｅ）に示すマイクロレンズアレイ９２〜９５では、微細凸レンズ構造は、ハニカム型配列である。
【０１７５】
図５（ｂ）、図５（ｄ）、図５（ｅ）に示すハニカム型配列では、アスペクト比「Ｙ１２／Ｘ１２」、「Ｙ１３／Ｘ１３」はいずれも１より大きい。
【０１７６】
図５（ａ）〜図５（ｅ）に示す微細凸レンズ構造の５例は何れも「微細凸レンズ」は、Ｙ軸方向の長さがＸ軸方向の長さよりも大きい。
【０１７７】
このように「Ｙ軸方向の長さがＸ軸方向の長さより大きい形状の微細凸レンズ」の場合、微細凸レンズの形状として、Ｘ軸方向の曲率をＹ軸方向の曲率より大きくするのが容易である。
【０１７８】
従って、前述した「Ｘ軸方向のパワーがＹ軸方向のパワーよりも大きくなるアナモフィックな光学機能」を実現しやすい。
【０１７９】
例えば、図５（ａ）に示す例の場合、具体例として例えば、Ｘ１１＝１５０μｍ、Ｙ１１＝２００μｍ、アスペクト比＝２００／１５０＝４／３＞１を挙げることができる。
【０１８０】
勿論、この場合には、画素表示用ビームのビーム径はＸ軸方向を１５０μｍ未満、Ｙ軸方向を２００μｍ未満にする。
【０１８１】
図５（ｂ）〜図５（ｄ）に示す微細凸レンズの配列は、何れもハニカム型配列であり、個々の微細凸レンズは「Ｙ軸方向に長い形状」となっている。
【０１８２】
図５（ｂ）の配列は「ジグザグ型」であり、図５（ｃ）〜図５（ｅ）の配列は何れも「アームチェア型」である。
【０１８３】
図５（ｂ）の「ジグザグ型の縦長ハニカム型配列」と、図５（ｃ）の「アームチェア型の縦長ハニカム配列」は何れも使用可能であることは勿論である。
【０１８４】
しかし、図５（ｃ）の配列例は図５（ｂ）の配列例に対して以下の如き利点を有する。
【０１８５】
即ち、図５（ｂ）の配列に比して、図５（ｃ）の配列では、微小凸レンズにおける「Ｘ軸方向とＹ軸方向のサイズの差」が小さく、縦横方向における「実効画素サイズの差」が小さくなる。
【０１８６】
具体的な寸法を挙げる。
例えば、図５（ｂ）において、微細凸レンズ９２１１、９２１２等のＸ軸方向のレンズ径：Ｒ２ｘ＝１００μｍ、Ｙ軸方向のレンズ径：Ｒ２ｙ＝２００ｕｍとする。
【０１８７】
このとき、Ｘ軸方向の実効画素ピッチ（＝Ｘ１２）は５０μｍ、Ｙ軸方向の実効画素ピッチ（＝Ｙ１２）は１５０μｍとなる。
【０１８８】
同様に、図５（ｃ）において、微細凸レンズ９３１１、９３１２等の、Ｘ軸方向のレンズ径：Ｒ３ｘ＝１００μｍ、Ｙ軸方向のレンズ径：Ｒ３ｙ＝２００μｍとする。
【０１８９】
また、微細凸レンズ９３１１等の六角形形状の、上下の辺の長さは５０μｍとする。
このとき、Ｘ軸方向の実効画素ピッチ（＝Ｘ１３）は７５μｍ、Ｙ軸方向の実効画素ピッチ（＝Ｙ１３）＝１００μｍとなる。
【０１９０】
従って「Ｘ、Ｙ軸方向の実効画素ピッチ」は、図５（ｃ）の配列（７５μｍと１００μｍ）の方が図５（ｂ）の配列（５０μｍと１００μｍ）の場合よりも「互いに近い値」になる。
【０１９１】
図５（ｃ）、図５（ｄ）、図５（ｅ）においては、Ｘ軸方向の実効画素ピッチをＸ１３、Ｙ軸方向の実効画素ピッチをＹ１３としている。
これは、図５（ｃ）〜図５（ｅ）のハニカム型配列（アームチェア型のハニカム配列）において、Ｘ軸方向の画素ピッチ、Ｙ軸方向の画素ピッチが、同じように定義されることによる。
図５（ｄ）においては、微細凸レンズ９４１１、９４２１等は、Ｘ軸方向に平行な上下の辺が短く、斜辺が長い。
また、図５（ｅ）においては、微細凸レンズ９５１１、９５２１等は、Ｘ軸方向に平行な上下の辺が短く、斜辺が長い。
これらの図に示すように、微細凸レンズの六角形形状の変形により、Ｘ軸方向の画素ピッチ：Ｘ１３、Ｙ軸方向の画素ピッチ：Ｙ１３を調整できる。
【０１９２】
図５（ｃ）の場合と同様、これら図５（ｄ）、図５（ｅ）に示す配列においても「微細凸レンズ構造が縦長構造」であることにより、Ｘ、Ｙ軸方向の「実効画素ピッチの均等化」が可能である。
例えば、図８に示すマイクロレンズアレイ９６のマイクロレンズ９６１１、９６２１等は、図５（ｄ）に示すマイクロレンズアレイ９５と同様の縦長の六角形形状である。
図８に示すマイクロレンズ９６１１等の配列は、図５（ｃ）と同様の「アームチェア型の縦長ハニカム配列」である。
マイクロレンズ９６１１等の六角形形状は、Ｘ軸方向の実効画素ピッチ：Ｘ１４が、Ｙ軸方向の実効画素ピッチ：Ｙ１４と完全に等しくなるように設定されている。
このように、アームチェア型の縦長ハニカム配列では、アスペクト比を１に設定することができる。画素表示用ビームのビーム径より大きい微細凸レンズもしくは画素表示用ビームのビーム径と同じ程度の大きさの微細凸レンズの場合、実効画素ピッチのアスペクト比が１であれば、虚像として投影される画像データに対して、虚像による再現性が高まる。虚像として投影される画像データのマイクロレンズアレイ上における画素ピッチと実効画素ピッチとを一致させる、もしくは、他の実効画素ピッチと比較して、実効画素ピッチを虚像として投影される画像データのマイクロレンズアレイ上における画像データの画素ピッチに近づけることができるからである。
上には、縦方向を「上下方向」、横方向を「左右方向」として説明したが、これは説明の具体性のための便宜上のものである。
実際の空間において、どの方向が縦方向かは、マイクロレンズアレイの画像表示装置への取り付け方向、画像表示装置の車両等の移動体への取り付け方向による。
２次元偏向手段６は、１つの軸について１往復の揺動（第１軸の揺動）を行う間に、もう一方の軸について往復の揺動（第２軸の揺動）を複数回行うが、多くの場合、拡大虚像の長手方向であるＸ軸方向が、第２軸の揺動による画素表示用ビームＬＣのマイクロレンズアレイに対する走査の方向に設定される。したがって、「アームチェア型」の六角形形状のマイクロレンズのＸ軸方向に平行な上下の辺は、画素表示用ビームＬＣのマイクロレンズアレイに対する走査方向とほぼ平行となり、「アームチェア型」の六角形形状の画素表示用ビームのマイクロレンズアレイに対する走査方向に最も平行に近い２辺の間隔、言い換えれば、画素表示用ビームのマイクロレンズアレイに対する走査方向に最も平行に近い辺とその対向する辺との間隔を、これら２辺に直交する方向へ拡大するように引き伸ばした形状が「アームチェア型の縦長ハニカム構造」である。
【０１９３】
従って、アームチェア型の縦長ハニカム配列は、輝度及び実効画素数の向上に加え、Ｘ軸方向（横方向）、Ｙ軸方向（縦方向）の実効画素ピッチの差を小さくすることができる。
図５（ｃ）〜図５（ｅ）に示す如き「微細凸レンズの形状」は、例えば、発散光束の発散角制御のため、任意に選択することが可能である。
【０１９４】
図１（ａ）に示したヘッドアップディスプレイ装置においては、画素表示用ビームＬＣは、被走査面素子８の微細凸レンズ構造に直交入射している。
【０１９５】
しかし、画素表示用ビームの被走査面素子への入射形態は、このような「直交入射」に限らない。
【０１９６】
例えば、光源部から反射面素子に到る光学素子の配列を工夫して、ヘッドアップディスプレイ装置をコンパクト化する場合には、図７（ａ）のような入射形態が考えられる。
【０１９７】
即ち、図７（ａ）の例では、画素表示用ビームＬＣが、被走査面素子８に対して傾いて入射している。
【０１９８】
微細凸レンズのレンズ面を「非球面」とするような場合、画素表示用ビームＬＣは、非球面の光軸に対して傾いて入射することになり、非球面の機能を生かせない場合もある。
【０１９９】
このような場合には、図７（ｂ）の被走査面素子８ａのように、微細凸レンズＭＬのレンズ面光軸ＡＸを、被走査面素子８ａの基準面に対して直交方向から傾けるのが良い。
【０２００】
このようにして、レンズ面光軸ＡＸを画素表示用ビームＬＣの入射方向に平行、もしくはこれに近い方向とすることができる。
【０２０１】
なお、被走査面素子８ａの基準面は、微細凸レンズＭＬがアレイ配列された面である。
【０２０２】
このようにすることにより、光学系の小型化や、光の利用効率の向上が可能となり「微細凸レンズによる画素表示用ビームの発散の方向」を均質化することが可能である。
【０２０３】
上に説明したヘッドアップディスプレイ装置は、上述の自動車への搭載に限らず、列車、船舶、ヘリコプター、飛行機など各種の、操縦可能な移動体に搭載できる。例えば、オートバイのウインドシールド（風よけ）を透過反射部材とすることもできる。
【０２０４】
この場合、操縦席前方のフロントガラスを反射面素子とすればよい。
【０２０５】
勿論、ヘッドアップディスプレイ装置を、例えば「映画観賞用の画像表示装置」として実施できることは言うまでも無い。
【０２０６】
微細凸レンズ構造の微細凸レンズは、上記の如く画素表示用ビームを拡散させるものであるが、Ｘ、Ｙの２方向のうち、１方向のみの拡散を行なう場合も考えられる。
【０２０７】
このような場合には、微細凸レンズのレンズ面として「微細凸シリンダ面」を用いることができる。
【０２０８】
なお、微細凸レンズの形状を、六角形状とすることや、その配列をハニカム型配列とすることは、従来から、マイクロレンズアレイの製造方法に関連して知られている。
【０２０９】
上に説明したヘッドアップディスプレイ装置は、例えば、自動車等の車載用として用いることができ、Ｘ方向は「運転席から見て横方向」、Ｙ方向は「縦方向」である。
【０２１０】
この場合の反射面素子１０は、自動車のフロントガラスである。
この場合、フロントガラス前方に拡大虚像１２として、例えば「ナビゲーション画像」を表示でき、観察者１１である運転者は、この画像を運転席に居ながらフロントガラス前方から視線をほとんど動かさずに観察できる。
【０２１１】
このような場合、上述の如く、表示される拡大虚像は「運転者から見て横長の画像」であること、即ち、マイクロレンズに形成される画像および、拡大虚像は、Ｘ方向に画角の大きい画像、すなわち横長の画像であることが一般に好ましい。
【０２１２】
微細凸レンズ（マイクロレンズ）は、そのレンズ面を「非球面」として形成できることが従来から知られている。
【０２１３】
微細凸レンズのレンズ面をより一般的な非球面として形成でき、収差補正を行なうこともできる。
【０２１４】
収差の補正により「拡散の強度ムラ」を低減することも可能である。
【０２１５】
ところで、反射面素子１０で反射されたレーザ光の光路上の所定の観察位置での虚像の視認性を向上させるために、各マイクロレンズからのレーザ光の観察位置での断面の大きさを所望の大きさにすることが望まれる。すなわち、光利用効率の向上及び輝度の適正化を図ることが望まれる。なお、観察位置でのレーザ光の断面が大きいほど、輝度（エネルギ密度の平均）が小さくなる。
【０２１６】
そして、通常、マイクロレンズアレイの各面内位置と観察位置との間のレーザ光の光路長には、ばらつきがあるため、全マイクロレンズのうち少なくとも２つのマイクロレンズに要求される発散角（必要十分な発散角）は、互いに異なる。
【０２１７】
図９（ａ）及び図９（ｂ）は、実施例１のマイクロレンズアレイについて説明するための図である。実施例１のマイクロレンズアレイは、Ｘ方向を長手方向とし、光束ＬＢ１によりＸ、Ｙ方向に２次元走査される。ここでは、マイクロレンズアレイは、Ｚ軸方向から見て矩形状である。また、実施例１では、図１（ａ）〜図１（ｃ）に示される光学系と同様な光学系が設けられている。
【０２１８】
図９（ａ）において、符号Ｐ、Ｑ、Ｒは、マイクロレンズアレイへの光束ＬＢ１（図９（ｂ）参照）の入射位置の具体例を示している。
【０２１９】
ここでは、光束ＬＢ１の入射方向を＋Ｚ方向とし、マイクロレンズアレイの長辺方向をＸ方向、短辺方向をＹ方向とする。
【０２２０】
実施例１のマイクロレンズアレイでは、複数のマイクロレンズのレンズピッチ、曲率が等しく（曲率半径が等しく）、各マイクロレンズによるレーザ光の発散角が等しい。そのため、マイクロレンズアレイに平行に入射する光束ＬＢ１は、Ｘ、Ｙ位置によらず、例えばマイクロレンズアレイの各位置Ｐ、Ｑ、Ｒにおいて同一の発散角θ１で発散する（図９（ｂ）参照）。発散角θ１は、例えば位置Ｐ、Ｑ、Ｒそれぞれと観察位置と間のレーザ光の光路長の平均値に応じた値に設定されている。
【０２２１】
この場合、位置Ｐ、Ｑ、Ｒそれぞれと観察位置との間のレーザ光の光路長に差により、各位置でのレーザ光の断面の大きさが所望の大きさからずれ、光利用効率及び輝度の低下を招く。
【０２２２】
図１０（ａ）及び図１０（ｂ）は、実施例２のマイクロレンズアレイについて説明するための図である。実施例２のマイクロレンズアレイも、実施例１のマイクロレンズアレイと同様の形状であり、光束ＬＢ２によりＸ、Ｙ方向に２次元走査される。また、実施例２でも、図１（ａ）〜図１（ｃ）に示される光学系と同様な光学系が設けられている。
【０２２３】
実施例２のマイクロレンズアレイでは、位置Ｐ、Ｑ、Ｒ（図９（ａ）参照）においてそれぞれ要求される発散角は、α、β、γ（α＜β＜γ）である。しかしながら、実施例２では、実施例１と同様に各マイクロレンズによる光束ＬＢ２の発散角が互いに等しくなるような設計思想であるため、該発散角をα、β、γのうち最も大きいγに設定する必要がある。すなわち、各マイクロレンズの曲率（曲率半径）を発散角がγとなる値に設定する必要がある。
【０２２４】
この場合、位置Ｐ、Ｑ、Ｒにおいて、それぞれ要求される発散角を満たすことはできる。
【０２２５】
しかしながら、位置Ｐ、Ｑにおける発散角を、位置Ｒにおける発散角γに合わせなければならないため、位置Ｐ、Ｑでは、入射光束を本来必要とされる発散角よりも大きく発散させることになる。この結果、マイクロレンズアレイへの入射光束の一部が不必要に発散され、光利用効率及び輝度の低下を招く。
【０２２６】
そこで、以下に説明する実施例３では、マイクロレンズアレイの面内位置によって入射光束の発散角を異ならせることとしている。
【０２２７】
図１１（ａ）及び図１１（ｂ）は、実施例３のマイクロレンズアレイについて説明するための図である。実施例３のマイクロレンズアレイも、実施例１、２のマイクロレンズアレイと同様の形状であり、光束ＬＢ３によりＸ、Ｙ方向に２次元走査（例えばラスタスキャン）される。
【０２２８】
実施例３では、位置Ｐ、Ｑ、Ｒに入射した光束ＬＢ３の発散角を、それぞれに要求される発散角α、β、γ（α＜β＜γ）に設定している。なお、要求される発散角は、例えばマイクロレンズアレイの各面内位置（各マイクロレンズ）と観察位置との間のレーザ光の光路長、反射面素子１０からのレーザ光の反射方向（観察者の目への入射方向）等によって決定される。
【０２２９】
すなわち、マイクロレンズと反射面素子１０、ひいては観察位置との間のレーザ光の光路長が長くなればなるほど、該マイクロレンズによる発散効果が大きくなる。一方で、マイクロレンズと反射面素子１０、ひいては観察位置との間のレーザ光の光路長が短くなればなるほど、マイクロレンズによる発散効果が小さくなる。したがって、例えば、観察位置におけるマイクロレンズによる発散効果をマイクロレンズから反射面素子１０までの光路長に関係なく一定に得たいという要求があるならば、マイクロレンズの各々が、反射面素子１０までの光路長が短いほど、レンズの曲率が大きくなる傾向で分布するようにすれば良い。言い換えれば、マイクロレンズアレイは、反射面素子１０までの光路長が長い領域と短い領域に等分した場合に、光路長が長い領域に比べ短い領域の方がマイクロレンズの平均的な曲率が大きくなるようにすれば良い。なお、上記の他の態様として、マイクロレンズアレイ上の領域毎に異なる発散効果を得たいという要求があれば、それに応じてマイクロレンズアレイの曲率半径の分布を決定すれば良い。
上記の場合、マイクロレンズアレイ中のマイクロレンズの曲率の分布は、曲率の大きい領域から曲率の小さい領域に向かって、略単調減少するようになっている。
【０２３０】
このように、各面内位置において発散角を必要最小限の値に定めることで、入射光束をロス無く発散させることができる。これにより、光の利用効率が向上し、虚像の輝度が向上する。
【０２３１】
上記のような面内位置によって発散角が異なるマイクロレンズアレイは、実際に作製可能である（例えば特開２００９−１１１２０９号参照）。マイクロレンズアレイの各面内位置での発散角は、マイクロレンズアレイにおけるレンズピッチと各マイクロレンズの曲率半径とにより制御できる。そこで、複数のマイクロレンズの曲率半径を、レンズピッチに応じて、Ｘ、Ｙ位置の関数となるように変化させれば良い。
【０２３２】
以上のように、本実施形態（実施例１〜３）では、マイクロレンズアレイの各マイクロレンズの曲率半径を該マイクロレンズと反射面素子１０との間のレーザ光の光路長に基づいて設定している。具体的には、各マイクロレンズと反射面素子１０との間のレーザ光の光路長が長いほど該マイクロレンズの曲率半径を大きく（曲率を小さく）する。逆に言うと、各マイクロレンズと反射面素子１０との間のレーザ光の光路長が短いほど該マイクロレンズの曲率半径を小さく（曲率を大きく）する。なお、各マイクロレンズの曲率を、上記光路長に代えて又は加えて、反射面素子１０からのレーザ光の反射方向に基づいて設定しても良い。
【０２３３】
上述の如く、通常、マイクロレンズアレイの全マイクロレンズのうち少なくとも２つのマイクロレンズそれぞれと観察位置との間のレーザ光の光路長は、互いに異なる。すなわち、マイクロレンズアレイの全マイクロレンズと観察位置との間のレーザ光の光路長が全て等しくなることは極めて稀である。
【０２３４】
そこで、本実施形態のマイクロレンズアレイでは、少なくとも２つのマイクロレンズの曲率半径を互いに異ならせている。すなわち、該マイクロレンズアレイは、曲率半径の面内分布を持つ。
【０２３５】
曲率半径の分布態様として、様々な形態が考えられる。例えば、図１２（ａ）に示される実施例４のマイクロレンズアレイのように、Ｘ方向（長辺方向）にのみ分布を持ち、Ｙ方向（短辺方向）には分布を持たない態様、図１２（ｂ）に示される実施例５のマイクロレンズアレイのように、Ｙ方向（短辺方向）にのみ分布を持つ態様、図１２（ｃ）に示される実施例６のマイクロレンズアレイのように、曲率半径がＸ、Ｙ方向に分布を持つ態様等が挙げられる。
【０２３６】
以上の議論は、マイクロレンズの曲率半径に限った議論のため、マイクロレンズが円形、正多角形等である場合のみならず、マイクロレンズのアスペクト比が異なる（例えば長方形、楕円など）場合であっても成立する。
【０２３７】
図１３は、観察者の目線を含む鉛直面に関して非対称な形状の透過反射部材（例えば移動体のフロントガラス）を介して、マイクロレンズアレイに形成された画像の虚像を視認可能にする場合について説明する図である。
【０２３８】
図１３において、鉛直方向をＹ方向、水平面に平行かつ観察者の目線に平行な方向をＺ方向とする。
【０２３９】
マイクロレンズアレイを介したレーザ光は、一部が反射面素子１０としての透過反射部材で反射され、観察者の眼の位置へ送られる。そこで、観察者は、マイクロレンズアレイ上に形成された画像を虚像として視認する。
【０２４０】
透過反射部材として、例えば車両のフロントガラスが想定される。通常の車両において、観察者（運転者）はフロントガラスの中央に対して右か左に寄った位置（運転席）である観察位置で虚像を観察する。図１３では、右ハンドルの車両が想定されている。そして、フロントガラスは、観察者の目線を含む鉛直面（ＹＺ平面）に関して非対称な形状を有している。
【０２４１】
フロントガラスの形状（例えば曲面形状）の影響により、マイクロレンズアレイの各マイクロレンズとフロントガラスとの間のレーザ光の光路長は、Ｘ方向に関して分布を持つ。また、フロントガラスにおける各マイクロレンズからのレーザ光の入射位置と観察者の目との間のレーザ光の光路長も、Ｘ方向に関して分布を持つ。
【０２４２】
このため、例えばマイクロレンズアレイのＸ方向両端から出射されフロントガラスで反射され観察者の目に到達する２つの光線１、２の光路長が互い異なり、該２つの光線１、２のフロントガラスでの反射方向も互いに異なる。
【０２４３】
以上のようにマイクロレンズアレイと観察者との間の光学系が非対称に構成される場合においては、マイクロレンズアレイの面内位置ごとに要求される発散角は異なるため、各面内位置で要求される発散角を満たすために、上記２つの光線１、２の光路長やフロントガラスからの反射方向に基づいてマイクロレンズアレイにおいて曲率半径をＸ方向に分布させること（Ｘ方向に配列された少なくとも２つのマイクロレンズの曲率半径を異ならせること）が望ましい。
【０２４４】
以上では、観察者の左右方向（横方向）、つまりマイクロレンズアレイの長手方向（Ｘ方向）に関する光学系の非対称性による光路差について説明したが、フロントガラスは、Ｙ方向、つまりマイクロレンズアレイの短手方向にも非対称な形状を持つことが多く、この場合も同様の議論が成立する。そこで、マイクロレンズアレイにおいて、上記２つの光線１、２の光路長やフロントガラスからの反射方向に基づいて曲率半径をＹ方向にも分布させること（Ｙ方向に配列された少なくとも２つのマイクロレンズの曲率半径を異ならせること）が望ましい。
【０２４５】
以上の説明から分かるように、複数のマイクロレンズの曲率は、マイクロレンズアレイと透過反射部材との位置関係、及び観察者（例えば操縦席に着座している操縦者）の目が位置する所定の観察位置と透過反射部材との位置関係に基づいて設定されることが好ましい。なお、予め観察者の目が位置すると想定される空間領域を設定し、設定された空間領域を観察位置とすると良い。また、例えば図１３において観察者の目が位置すると想定される、透過反射部材で反射されたレーザ光の光路とＸＹ平面に平行な所定平面とが交わる平面領域を観察位置としても良い。また、観察位置を観察者の目が位置すると想定される空間領域内又は平面領域内の任意の点（例えば中心点）としても良い。但し、上記空間領域及び上記平面領域は、観察者の体格等の個人差や虚像を観察するときの観察者の頭部の位置変動を考慮して、大きめに設定されることが好ましい。
【０２４６】
すなわち、複数のマイクロレンズそれぞれの曲率は、該マイクロレンズと上記観察位置との間のレーザ光の光路長（各マイクロレンズから透過反射部材を介して観察位置に到達するレーザ光の光路長）に基づいて設定されることが好ましい。
【０２４７】
具体的には、各マイクロレンズと上記観察位置との間のレーザ光の光路長が長いほど該マイクロレンズの曲率を小さくして（曲率半径を大きくして）該レーザ光の発散角を小さくする。逆に言うと、各マイクロレンズと上記観察位置との間のレーザ光の光路長が短いほど該マイクロレンズの曲率を大きくして（曲率半径を小さくして）該レーザ光の発散角を大きくする。この場合、例えば、各マイクロレンズからのレーザ光の観察位置での断面の大きさを互いに略等しくなるようにすることが好ましい。
【０２４８】
このようにして、各マイクロレンズと上記所定位置との間のレーザ光の光路長に応じて必要最小限の発散角を得ることができ、光利用効率及び輝度の向上を図ることができる。なお、複数のマイクロレンズそれぞれの曲率は、該マイクロレンズと上記所定位置との間のレーザ光の光路長を例えばレーザ測長器等を用いて実際に測定し、その測定結果に基づいて設定されれば良い。
【０２４９】
なお、マイクロレンズアレイと透過反射部材との位置関係によって、各マイクロレンズと透過反射部材との間のレーザ光の光路長が決まる。また、上記観察位置と透過反射部材との位置関係によって、各マイクロレンズを透過したレーザ光の、透過反射部材と前記観察位置との間の光路長が決まる。
【０２５０】
なお、各マイクロレンズの曲率を、該マイクロレンズを透過し透過反射部材で反射されるレーザ光の反射方向（反射光の主光線の進行方向）に基づいて設定しても良い。具体的には、例えば該レーザ光の反射方向が、フロントガラスを正視する観察者の目への該レーザ光の入射角（例えば観察者の目線との成す角）が大きくなる方向であるほど、マイクロレンズの曲率を小さくして発散角を小さくしても良い。この結果、観察者の目に到達する光の強度低下を抑制でき、虚像の視認性を向上させることができる。なお、発散角が同一の条件であれば、観察者の目へのレーザ光の入射角が大きいほど観察者の目への入射光の断面が大きくなるため、発散角を小さくしても視野角が狭くなることが抑制される。透過反射部材からのレーザ光の反射方向は、透過反射部材へのレーザ光の入射方向に基づいて求めることができる。
【０２５１】
また、上記実施形態では、各マイクロレンズからの光の出射方向（各マイクロレンズの光軸）は、互いに平行であるが、少なくとも２つのマイクロレンズからの光の出射方向を非平行としても良い。なお、マイクロレンズの光軸の向きを調整することで、該マイクロレンズを透過し透過反射部材で反射されるレーザ光の光路長や反射方向を調整することができる。
【０２５２】
また、マイクロレンズアレイの全てのマイクロレンズの曲率が異なっていても良いし、一部のマイクロレンズの曲率が異なり、かつ残りのマイクロレンズの曲率が同じであっても良く、要は、少なくとも２つのマイクロレンズの曲率が異なれば良い。
【０２５３】
すなわち、マイクロレンズアレイを構成する複数のマイクロレンズの曲率を２種類以上とし、光学系のレイアウトや観察位置に基づいてマイクロレンズアレイの面内で曲率を分布させることで、各面内位置での発散角を必要最小限の大きさに設定できる。
【０２５４】
以上のように、本実施形態では、ヘッドアップディスプレイ装置の要求画角を満たす必要最小限の範囲に光を発散させることで、光の利用効率を向上させ、虚像の輝度を向上させることが可能である。そこで、このヘッドアップディスプレイ装置が搭載された移動体では、操縦者がナビゲーション画像の虚像を迅速かつ確実に認識できる。
【０２５５】
上記実施形態のマイクロレンズアレイでは、複数のマイクロレンズが２次元配列されているが、これに代えて、１次元配列又は３次元配列されていても良い。
【０２５６】
また、上記実施形態では、マイクロレンズアレイを２次元偏向手段を用いて２次元走査して２次元画像を形成しているが、例えば、ＭＥＭＳミラー、ガルバノミラー、ポリゴンミラー等を含む１次元偏向手段を用いて１次元走査して１次元画像を形成しても良い。
【０２５７】
また、上記実施形態では、カラー画像を形成しているが、モノクロ画像を形成しても良い。
【０２５８】
また、反射面素子１０としての透過反射部材は、例えば、いわゆるコンバイナのように、移動体のフロントガラスとは別の部材で構成され、観察者から見て該フロントガラスの手前に配置されていても良い。
【０２５９】
また、透過反射部材は、移動体のフロントガラスに限らず、例えばサイドガラス、リアガラス等であっても良く、要は、透過反射部材は、虚像を視認する操縦者により操縦される移動体に設けられ、操縦者が移動体の外部を視認するための窓部材であれば良い。
【０２６０】
また、画像表示装置によって虚像を視認可能にされる対象者は、移動体の操縦者に限らず、例えば該移動体に搭乗するナビゲータ、乗客等であっても良い。
【０２６１】
以上説明した本実施形態の画像表示装置は、画像情報に応じて変調されたレーザ光により複数のマイクロレンズを含むマイクロレンズアレイを走査して画像を形成し、前記マイクロレンズアレイを透過したレーザ光を透過反射部材に入射させて、該透過反射部材で反射されたレーザ光の光路上の観察位置から前記画像の虚像を視認可能にする画像表示装置であり、前記複数のマイクロレンズそれぞれの曲率は、該マイクロレンズと前記観察位置との間のレーザ光の光路長に基づいて設定されている。
【０２６２】
この場合、複数のマイクロレンズそれぞれの曲率を、該マイクロレンズからのレーザ光の発散角が上記光路長に応じた適切な値となるように設定できる。
【０２６３】
この結果、光利用効率を向上させることができ、ひいては虚像の視認性を向上させることができる。
【０２６４】
なお、上記実施形態では、等方拡散型の各マイクロレンズの曲率半径を該マイクロレンズと観察位置との間のレーザ光の光路長に基づいて設定することを説明したが、前述した非等方拡散型の各マイクロレンズの曲率半径を該マイクロレンズと観察位置との間のレーザ光の光路長に基づいて設定しても良い。非等方拡散型のマイクロレンズの場合、該マイクロレンズのＸ、Ｙ方向の曲率半径を等方拡散型のマイクロレンズと同様に互いに等倍率で調整しても良いし、互いに非等倍率で調整しても良い。
【０２６５】
なお、複数のマイクロレンズそれぞれの互いに直交する第１及び第２方向（例えばＸ、Ｙ方向）の曲率の少なくとも一方を、該マイクロレンズと前記観察位置との間のレーザ光の光路長に基づいて設定することとしても良い。
【０２６６】
この場合、各マイクロレンズによるレーザ光の第１及び第２の方向（例えばＸ、Ｙ方向）に関する発散角の少なくとも一方を、該マイクロレンズと観察位置との間のレーザ光の光路長に応じた適切な値に設定することができる。この結果、観察位置での各レーザ光の断面の大きさのみならず形状を調整することもできる。
【０２６７】
この設定は、上記第１及び第２の方向（例えばＸ、Ｙ方向）に関する発散角それぞれに要求される発散角が異なる場合やマイクロレンズアレイの各マイクロレンズの第１及び第２の方向に関する曲率半径が互い異なる設計思想である場合（該マイクロレンズが非等方拡散型である場合）に有効である。
【０２６８】
また、上記第１及び第２の方向に関する曲率の少なくとも一方を、該マイクロレンズを透過し前記透過反射部材で反射されるレーザ光の反射方向に基づいて設定することとしても良い。
【０２６９】
また、本発明の画像表示装置は、例えば観察者の頭部に到着されるヘッドマウントディスプレイへの応用も可能である。
【符号の説明】
【０２７０】
ＬＣ…画素表示用ビーム（画像情報に応じて変調されたレーザ光）、８…被走査面素子（マイクロレンズアレイ）、９…凹面鏡（反射部材）、１０…反射面素子（透過反射部材）、１１…観察者（操縦者）。
【先行技術文献】
【特許文献】
【０２７１】
【特許文献１】特開２０１３−２５４０３１号公報
【図１】
2018136558.tif 000003
【図２】
2018136558.tif 000004
【図３】
2018136558.tif 000005
【図４】
2018136558.tif 000006
【図５】
2018136558.tif 000007
【図６】
2018136558.tif 000008
【図７】
2018136558.tif 000009
【図８】
2018136558.tif 000010
【図９】
2018136558.tif 000011
【図１０】
2018136558.tif 000012
【図１１】
2018136558.tif 000013
【図１２】
2018136558.tif 000014
【図１３】
2018136558.tif 000015
【手続補正書】
【提出日】平成30年4月13日(2018.4.13)
【手続補正２】
【補正対象書類名】明細書
【補正対象項目名】０００１
【補正方法】変更
【補正の内容】
【０００１】
本発明は、画像表示装置及び移動体に係り、更に詳しくは、光により画像を形成し、形成された画像の虚像を視認可能にする画像表示装置、及び該画像表示装置が搭載された移動体に関する。
【手続補正３】
【補正対象書類名】明細書
【補正対象項目名】０００４
【補正方法】変更
【補正の内容】
【０００４】
本発明は、光源と、前記光源の光によって画像を形成するための画像形成素子と、前記画像を形成する光が照射されるレンズアレイと、を備え、前記レンズアレイに前記光により画像を表示させ、前記レンズアレイを透過した前記光を反射面素子で反射させることにより虚像を視認させる画像表示装置において、前記レンズアレイは、複数のレンズが配列された構造を有し、前記複数のレンズの各々は、前記反射面素子からの所定の観察位置への光の入射角が大きくなる位置のレンズほど、レンズの曲率が小さくなる傾向で分布していることを特徴とする画像表示装置である。
【手続補正４】
【補正対象書類名】特許請求の範囲
【補正対象項目名】全文
【補正方法】変更
【補正の内容】
【特許請求の範囲】
【請求項１】
光源と、
前記光源の光によって画像を形成するための画像形成素子と、
前記画像を形成する光が照射されるレンズアレイと、を備え、
前記レンズアレイに前記光により画像を表示させ、前記レンズアレイを透過した前記光を反射面素子で反射させることにより虚像を視認させる画像表示装置において、
前記レンズアレイは、複数のレンズが配列された構造を有し、前記複数のレンズの各々は、前記反射面素子からの所定の観察位置への光の入射角が大きくなる位置のレンズほど、レンズの曲率が小さくなる傾向で分布していることを特徴とする画像表示装置。
【請求項２】
前記光の入射角は、前記光の主光線の入射角であることを特徴とする請求項１に記載の画像表示装置。
【請求項３】
前記複数のレンズのうちの少なくとも２つは、互いに曲率が異なることを特徴とする請求項１又は２に記載の画像表示装置。
【請求項４】
前記複数のレンズのうちの少なくとも２つのレンズは、光の出射方向が互いに非平行であることを特徴とする請求項１〜３のいずれか一項に記載の画像表示装置。
【請求項５】
前記レンズアレイと前記反射面素子との間の光の光路上に、該光を拡大反射する反射部材が配置されていることを特徴とする請求項１〜４のいずれか一項に記載の画像表示装置。
【請求項６】
前記反射面素子は、前記虚像を視認する操縦者により操縦される移動体に設けられ、前記操縦者が前記移動体の外部を視認するための窓部材であることを特徴とする請求項１〜５のいずれか一項に記載の画像表示装置。
【請求項７】
請求項６に記載の画像表示装置が搭載され、前記操縦者により操縦される移動体。